(57)【要約】【課題】レンズマウントねじを緩みを確実に防止することができ、かつマウント時の鏡筒の回転位置を容易に位置決めすることができ、しかも、カメラの光学系に悪影響を与えることがないレンズマウントねじ緩み防止機構を提供すること【解決手段】レンズを保持する鏡筒と接続しカメラ本体２側に螺合結合されるマウントリング１２と、鏡筒を前記マウントリング１２に対して中心線６周りの所望の回転位置に移動させるための回転調整手段５１と、鏡筒とカメラ本体２との相対回転をロックするロック手段５２と、を備える。【選択図】  図１
2009251336.tif 000002
【特許請求の範囲】
【請求項１】
レンズを保持する鏡筒と接続しカメラ本体側に螺合結合されるマウントリングと、前記鏡筒を前記マウントリングに対して中心線周りの所望の回転位置に移動させるための回転調整手段と、
前記鏡筒と前記カメラ本体との相対回転をロックするロック手段と、
を備えたことを特徴とするレンズマウント機構。
【請求項２】
前記ロック手段は、
前記鏡筒の中心線周りの外周面に設けられた第１ねじ部と、
径方向における前記鏡筒の外周側に配置され、前記第１ねじ部に螺合可能な第２ねじ部を中心線周りの内周面に設けたロックリングを有し、
前記ロックリングの第２ねじ部が前記鏡筒の第１ねじ部に対して中心線方向に変位するように螺合され、前記ロックリングの中心線方向の端面が前記カメラ本体に押圧されることにより、鏡筒とカメラ本体との相対回転をロックするように構成したことを特徴とする請求項１記載のレンズマウント機構。
【請求項３】
前記回転調整手段は、
前記鏡筒の中心線周りの外周面に設けた案内溝部と、
前記案内溝部の中心線周りの外周側に配置されるようにマウントリングに設けられ、外部から前記案内溝部に向けて穿設された収容孔と、
前記収容孔に収容され、先端が前記案内溝部内に突出するように設置された突出部材と、
を備え、
前記突出部材を前記案内溝部に沿って回転することで、マウントリングに対して鏡筒を中心線周りに回転することを特徴とする請求項１または２に記載のレンズマウント機構。
【請求項４】
鏡筒本体に装着したマウントリングをカメラ本体にねじ込んで前記鏡筒本体をカメラ本体に取り付けるレンズマウント機構であって、
前記鏡筒本体の外周面に中心線周りに鏡筒ロックねじと鏡筒摺動外周面７と有端の案内溝を設け、
前記マウントリングは内周面若しくは外周面に前記中心線回りに前記カメラ本体に前記ねじ込み可能なマウントねじを有しかつ内周面に前記鏡筒本体の摺動外周面に摺動嵌合可能な摺動内周面を有すると共に前記鏡筒の前記案内溝内に達し前記鏡筒本体と前記マウントリングとの前記中心線周りの前記案内溝に沿った相対回転を案内する突出部材とを備え、
内周面に前記鏡筒の鏡筒ロックねじと螺合するロックねじが形成されていて前記鏡筒ロックねじに螺合して前記マウントリングの外側において前記中心線方向に前記カメラ本体に当接する位置と前記カメラ本体から離隔する位置とに変位可能であって前記カメラ本体を前記中心線方向に押し付けて前記鏡筒本体と前記カメラ本体との相対回転をロックするロックリングとを有することを特徴とするレンズマウント機構。
【請求項５】
前記案内溝は前記中心線に垂直な一平面に沿って二条設け、または前記中心線の方向に間隔を隔てた前記中心線に垂直な二平面に沿って各面に一条ずつ設けることを特徴とする請求項４記載のレンズマウント機構。
【請求項６】
請求項１〜５のいずれか一記載のレンズマウント機構を備えたレンズ鏡筒
【発明の詳細な説明】
【技術分野】
【０００１】
この発明はレンズ鏡筒をカメラ本体に取り付ける場合のレンズマウントのねじ緩みを防止するためのねじ緩み防止機構に関するものである。
【背景技術】
【０００２】
カメラ本体に鏡筒を取り付ける場合には鏡筒後端に取付けられているマウントリングのマウントねじをカメラ本体の前端にねじ込むことによって行われる。
【０００３】
しかるにＦＡ（Factory Automation）装置などで用いるカメラはＦＡ装置の振動がマウント部に伝わってねじが緩むことがあってこの緩みによって、設置時に調整した焦点位置が長期の使用期間において焦点ずれを生ずることがある。
【０００４】
また、マウントねじを締め付ける場合に、鏡筒の回転位置を任意の位置に止めることができない。レンズ鏡筒の外表面には指標線が表示されていたり、フォーカスリングの操作つまみや、電動装置の電線取り出し部などが突出している場合があるが、レンズ鏡筒の回転位置を任意に止めることができない場合は指標線位置や操作つまみや電線取り出し部の位置が定まらずカメラの使い勝手上不便である。
【０００５】
【特許文献１】特開平９−２８１５８０
【発明の開示】
【発明が解決しようとする課題】
【０００６】
レンズマウントの緩み止めに関してはねじ部に接着剤を塗布して固定するか、或いはカメラ本体側を改造して側面より緩み防止のロック機構を追加するなどの工夫をしている。
【０００７】
しかし、ねじ部に接着剤を塗布して固定する方法ではレンズ交換時に接着剤等を洗浄する必要があって溶剤等を使用しないと鏡筒の取り外しができず、カメラ本体側のマウントも取り外し後にクリーニングする必要があるため、レンズの交換が容易ではない。
【０００８】
カメラ本体側を改造して側面より緩み防止のロック機構を追加した技術ではロックねじを強くねじり込むと、レンズ枠に歪を生じる恐れがあって、光学特性に影響を与えることがある。
【０００９】
また、マウントねじを締め付けた後に、鏡筒の回転位置を任意の位置に設定する技術としては、マウントリングとレンズ保持枠とを板ばねで圧接して、マウントリングとレンズ保持枠とを摩擦により回転位置決めを可能にした技術が特許文献１に示されている。
【００１０】
しかし、板ばねを使用した回転位置決め機構は、板ばねを使用する必要があるので、部品点数や組立工数が増加する上に、マウント部の構造が複雑になる。
【００１１】
この発明は上記の如き事情に鑑みてなされたものであって、レンズマウントねじの緩みを確実に防止することができ、かつマウント時の鏡筒の回転位置を容易に位置決めすることができ、しかも、カメラの光学系に悪影響を与えず、マウント部の構造を複雑にすることがなく、かつ部品点数も増加させることがないレンズマウントねじ緩み防止機構を提供することを目的とするものである。
【課題を解決するための手段】
【００１２】
この目的に対応してこの発明のレンズマウント機構は、レンズを保持する鏡筒と接続しカメラ本体側に螺合結合されるマウントリングと、前記鏡筒を前記マウントリングに対して中心線周りの所望の回転位置に移動させるための回転調整手段と、
前記鏡筒と前記カメラ本体との相対回転をロックするロック手段と、
を備えたことを特徴としている。
またこの発明の他のレンズマウント機構は、鏡筒本体に装着したマウントリングをカメラ本体にねじ込んで前記鏡筒本体をカメラ本体に取り付けるレンズマウント機構であって、
前記鏡筒本体の外周面に中心線周りに鏡筒ロックねじと鏡筒摺動外周面と有端の案内溝を設け、
前記マウントリングは内周面若しくは外周面に前記中心線回りに前記カメラ本体に前記ねじ込み可能なマウントねじを有しかつ内周面に前記鏡筒本体の摺動外周面に摺動嵌合可能な摺動内周面を有すると共に前記鏡筒の前記案内溝内に達し前記鏡筒本体と前記マウントリングとの前記中心線周りの前記案内溝に沿った相対回転を案内する突出部材とを備え、
内周面に前記鏡筒の鏡筒ロックねじと螺合するロックねじが形成されていて前記鏡筒ロックねじに螺合して前記マウントリングの外側において前記中心線方向に前記カメラ本体に当接する位置と前記カメラ本体から離隔する位置とに変位可能であって前記カメラ本体を前記中心線方向に押し付けて前記鏡筒本体と前記カメラ本体との相対回転をロックするロックリングとを有することを特徴としている。
【発明の効果】
【００１３】
請求項１に記載した発明では回転調整手段で鏡筒をカメラ本体側に螺合結合されるマウントリングに対して中心線周りの所望の回転位置に移動させることができ、かつロック手段で鏡筒とカメラ本体との相対回転をロックすることができるので、カメラの使い勝手がよく、また、焦点位置ずれを防ぐことができる。
【００１４】
請求項２に記載した発明ではロック手段を鏡筒を径方に押圧するのではなくロックリングを中心線方向にカメラ本体に押圧して、相対回転をロックするので、鏡筒に光学特性に影響が出るような歪を生じさせることはない。
【００１５】
請求項３に記載した発明によれば、回転調整手段を鏡筒の外周面に設けた案内溝部と、マウントリングから突出して案内溝部に係合する突出部材とで構成するので、回転調整が容易かつ確実である。
【００１６】
請求項４に記載した発明では、ロックリングを回してカメラマウントに宛てて締めることで、マウントねじがスラスト方向に押し圧されてマウントねじがロックされて緩み防止となるので、レンズマウントの緩みを確実に防止することができる。このとき、ロックリングはカメラ本体を中心線方向に押し付けて摩擦により鏡筒とカメラ本体をロックするので、鏡筒等をラジアル方向に押してロックするロック機構と異なって、レンズ枠に歪を生じさせる恐れがなく、したがって光学特性に悪影響を与えることがない。
【００１７】
請求項５に記載された発明ではレンズ鏡筒に溝が２条加工され、マウントねじを鏡筒に取り付けた後に、マウントリングの外側から溝内に突出部材を各溝に１条づつ取り付けるので、レンズ鏡筒をカメラ本体にねじ込んだ後に、レンズ鏡筒の回転位置をカメラ本体に１５０°程度または３００°程度の任意の位置にセットできる。
【００１８】
請求項６に記載された発明では、回転調整、ロックが可能な鏡筒が得られので、カメラの使い勝手の向上、焦点位置ずれの防止を図ることができる。
【発明を実施するための最良の形態】
【００１９】
以下この発明の詳細を最良の形態について図面を参照して説明する。
（実施例１）
図１及び図２において、１はレンズ鏡筒を示しており、レンズ鏡筒１はカメラ本体２にマウントリング１２をねじ込むことにより装着される。
鏡筒とマウントリングとの間には鏡筒をマウントリングに対して中心線周りの所望の回転位置に移動させるための回転調整手段５１が設けられ、また鏡筒とカメラ本体との間には両者の相対回転をロックするロック手段が設けられている。
回転調整手段５１は主として後述する。鏡筒摺動外周面７、鏡筒摺動小径外周面８、マウントねじ１３、マウントリング内周面１４、摺動内周面１５、案内溝１８ａ，１８ｂ、収容孔２２と突出部材２３を備えている。
また、ロック手段５２は主として後述する鏡筒ロックねじ１１、ロックリング２４、ロックねじ２６、第１ねじ部５３、第２ねじ部５４を備えている。
すなわち、
レンズ鏡筒１は円筒形の鏡筒本体３を有し、鏡筒本体３は内部にレンズ４を保持するレンズ保持枠５を有している。鏡筒本体３の中心線６方向の後端部近傍には鏡筒摺動外周面７が形成され、その鏡筒摺動外周面７に隣接する後端部には小径の鏡筒摺動小径外周面８が形成されている。さらに鏡筒摺動外周面７に隣接して前部分に第１ねじ部５３の例として鏡筒ロックねじ１１が形成されている。
【００２０】
マウントリング１２は、中心線６方向の後部分１９の外周面にマウントねじ１３を有し、かつ内周面にマウントリング内周面１４を有し、また前部分２０の内周面に摺動内周面１５を有する。
【００２１】
このマウントリング１２はカメラ本体２の先端に装着固定されているカメラマウント１６のマウント内ねじ１７にねじ込まれることによってレンズ鏡筒１がカメラ本体２に装着される。
マウントリング１２の摺動内周面１５は鏡筒本体３の鏡筒摺動外周面７に摺動可能に嵌合し、マウントリング内周面１４は鏡筒摺動小径外周面８に摺動可能に嵌合する。
【００２２】
鏡筒本体３の鏡筒摺動外周面７には２条の案内溝１８ａ、１８ｂが設けられている。この２条の案内溝１８ａ、１８ｂはそれが設けられている中心線６に垂直な平面内でレンズ鏡筒１の中心線６周りの鏡筒本体３とマウントリング１２の相対回転を案内するとともに案内溝１８ａ，１８ｂの端部においては後述する突出部材２３を介してマウントリング１２と鏡筒本体３とを連結して両者を一体的に回転させるものである。
【００２３】
案内溝１８ａ、１８ｂは中心線６の周りに対称にそれぞれ、一定角度θだけ形成されていて、角度θの範囲でマウントリング１２と鏡筒本体３との相対回転を案内する。
【００２４】
案内溝１８ａを形成する平面と、案内溝１８ｂを形成する平面との位置を中心線６方向に一致させるのではなくて両案内溝１８ａ、１８ｂのそれぞれを形成する平面の中心線６方向の位置すなわちスラスト位置をずらせた場合には両案内溝１８ａ、１８ｂの両端部はその平面の方向で重複させることができるので、その重複部分だけさらに鏡筒本体３とマウントリング１２の回転範囲を例えば３００°程度にするなど広範囲の相対回転、すなわち鏡筒本体３の回転位置の調整を許容することができる。
【００２５】
前述のマウントリング１２の前部分２０には二条の案内溝１８ａ、１８ｂに対応して２個のビス孔などの収容孔２２が径方向に貫通して形成され、この収容孔２２にはストッパービスなどの突出部材２３が収容されていて、突出部材２３の先端は案内溝１８ａ（１８ｂ）内に突出し得る。収容孔２２に突出部材２３が装着され、その先端が案内溝１８ａ、１８ｂ内に達すると、鏡筒本体３とマウントリング１２との中心線６周りの案内溝１８ａ、１８ｂに沿った相対回転が可能になり、かつ案内溝１８ａ、１８ｂの縁に制約されて鏡筒本体３とマウントリング１２との中心線６方向の相対変位は抑止される。突出部材２３の先端が案内溝１８ａ、１８ｂの底に当接すると、鏡筒本体３とマウントリング１２との相対回転が停止されてマウントリング１２と鏡筒本体３とは一体的に回転可能となる。
【００２６】
鏡筒本体３にはロックリング２４が螺合している。鏡筒本体３の鏡筒摺動外周面７よりも前方部分に中心線６周りに鏡筒ロックねじ１１が形成されており、一方、ロックリング２４は円筒状をなしていて、前端部の内周面に形成された第１ねじ部５３と螺合する第２ねじ部５４の例としてロックねじ２６で鏡筒本体３の鏡筒ロックねじ１１に螺合していて鏡筒本体３と同心状に配置されている。
【００２７】
ロックリング２４は中心線６周りに回転させると中心線６の方向に前進、後退し、ロックリング２４の後端面２９がカメラマウント１６の前端面３１から離れ若しくは前端面３０に当接し、さらに前端面３０を中心線６方向に押し圧することができる。ロックリング２４がカメラマウント１６の前端面３０を押し圧すると、摩擦力により鏡筒本体３がカメラマウント１６にロックされる。
【００２８】
このように構成されたレンズマウントねじ緩み防止機構においてカメラ本体２にレンズ鏡筒１を取り付ける場合のレンズマウントのねじ緩み止め動作と鏡筒の回転位置決め動作は次のようにしてなされる。
【００２９】
まずレンズ鏡筒１のマウントリング１２のマウントねじ１３をカメラ本体２のカメラマウント１６のマウント内ねじ１７にマウントリング１２の後端面２７がカメラ本体２の前端面３１と当接するまでねじ込んでレンズ鏡筒１をカメラ本体２に取付ける。この取付け操作においては突出部材２３が鏡筒本体３の案内溝１８ａ、１８ｂの端部に当接しているので、鏡筒本体３とマウントリング１２とは一体的に連続して中心線６の周りに回転する。
【００３０】
次にカメラ２に対して鏡筒本体３をフォーカスリング操作つまみなどが所望の位置に来るまで中心線６の周りに回転させる。
【００３１】
この回転においては鏡筒本体３は案内溝１８ａ、１８ｂに差し込まれた突出部材２３とを案内として回転する。所望量の回転が終了したところで突出部材２３を深くねじ込んで、突出部材２３の先端をスリップ溝１８ａ、１８ｂの底に当接させて摩擦によりマウントリング１２と鏡筒本体３を仮止めする。これによって鏡筒本体３の回転位置決めが完了する。
【００３２】
次にロックリング２４のロックねじ２６を鏡筒ロックねじ１１に対して回転させてロックリング２４を中心線６方向に後退させ、後端面２９をカメラ本体２のカメラマウント１６の前端面３０に強く当接させる、これにより鏡筒本体３はカメラマウント１６に摩擦によりロックされる。
【００３３】
これによってマウント部に振動が負荷されても鏡筒本体３が緩むことがなく、緩み防止機能が発揮される。
【００３４】
このように、この発明によれば、レンズマウントねじを緩みを確実に防止することができ、かつマウント時の鏡筒の回転位置を容易に位置決めすることができ、しかも、カメラの光学系に悪影響を与えず、マウント部の構造を複雑にすることがなく、かつ部品点数も増加させることがないレンズマウント機構を得ることができる。
【図面の簡単な説明】
【００３５】
【図１】レンズマウント機構の斜視説明図
【図２】レンズマウント機構の縦断面説明図
【図３】案内溝を示す図で            （ａ）は斜視説明図、（ｂ）は正面説明図、（ｃ）は側面説明図である
【符号の説明】
【００３６】
１    レンズ鏡筒
２    カメラ
３    鏡筒本体
４    レンズ
５    レンズ保持枠
６    中心線
７    鏡筒摺動外周面
８    鏡筒摺動小径外周面
９    後部分
１０  前部分
１１  鏡筒ロックねじ
１２  マウントリング
１３  マウントねじ
１４  マウントリング内周面
１５  摺動内周面
１６  カメラマウント
１７  マウント内ねじ
１８ａ案内溝
１８ｂ案内溝
１９  後部分
２０  前部分
２２  収容孔
２３  突出部材
２４  ロックリング
２６  ロックねじ
２７  後端面
２９  後端面
３０  前端面
３１  前端面
５１  回転調整手段
５２  ロック手段
５３  第１ねじ部
５４  第２ねじ部
【図１】
2009251336.tif 000003
【図２】
2009251336.tif 000004
【図３】
2009251336.tif 000005